【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
軸筒を互いに回転可能に連設した胴軸と鞘軸とで構成し、該鞘軸内に該鞘軸と一体にまたは別部材で形成したカム斜面を有するカム部を配し、軸筒内に、筆記体を収容する１つまたは複数の筆記体収容溝を有した摺動ケースを鞘軸に連動して回転や前後に移動することのない胴軸に連接して配設し、筆記体収容溝に、後端にカム係止突起を設けた摺動体を装着した少なくとも１つはシャープペンシルユニットである筆記体を、ばねとともに装着して胴軸の先端開口部と反対側の後方に付勢し、カム係止突起をカム部のカム斜面に当接して収容し、鞘軸を胴軸に対して回転することにより鞘軸に連動してカム部が摺動ケースに対して回転し、カム係止突起がカム斜面に沿って前後動することで、筆記体が軸筒内を前後動して筆記先端部を胴軸の先端開口部より出没してなる回転繰出式筆記具において、カム部またはカム部と連動して回転可能な部材の内壁面に、内側に向かって突出したストッパー用突起と、該ストパー用突起の周方向の断面形状と相違した断面形状でストッパー用突起より多くの突出量で内方へ突出した嵌合部分を有する嵌合突起とを、軸心方向における位置がほぼ同等の周上に設け、摺動ケースを、筆記体収容溝を有する収容部と、該収容部の外径より小径で少なくともストッパー用突起に当接しない外径寸法とした頭端部とで構成し、該頭端部に、嵌合突起の嵌合部分が嵌合して回転可能に周状に形成し軸心方向の長さが嵌合部分の軸心方向の長さとほぼ同等な嵌合凹部を形成し、該嵌合凹部の前方に、嵌合突起の嵌合部分が嵌合して前後動可能な、一方が収容部に延びて筆記体収容溝に連通し他方が嵌合凹部に開口した嵌合突起溝と、ストッパー用突起が嵌合して前後動可能な、一方が収容部に延び他方が嵌合凹部に開口したストッパー用突起溝を、嵌合突起の嵌合部分を嵌合凹部に嵌合して、鞘軸を胴軸に対して回転してシャープペンシルユニットの筆記先端を軸筒の先端開口部より突出した際に、嵌合突起の嵌合部分が嵌合突起溝に、ストッパー用突起がストッパー用突起溝に対向するように設け、嵌合突起の嵌合部分が嵌合突起溝にストッパー用突起がストッパー用突起溝に対向した時に、シャープペンシルユニットの筆記先端から鉛芯を繰出すための鞘軸の胴軸側への押圧を可能としたことを特徴とする回転繰出式筆記具。
【手続補正２】
【補正対象書類名】明細書
【補正対象項目名】０００５
【補正方法】変更
【補正の内容】
【０００５】
筆記体収容溝１１０ａ、１１０ｂを有する収容部１１１と該収容部１１１の外径より小径な頭端部１１２とで構成された、図３１に示すような摺動ケース１１３を、胴軸１０３の後筒１０３ｂと一体に形成して設けてあり、摺動ケース１１３が鞘軸１０４に連動して回転や前後に移動することがない。なお、摺動ケース１１３については、よく知られており、詳細な図は省略する。筆記体収容溝１１０ａにはシャープペンシルユニットの筆記体１１４ａを、筆記体収容溝１１０ｂにはボールペンレフィルの筆記体１１４ｂを、コイルスプリング１１５を介在して後方（図２９において右側方向）に付勢して収容してある。各々の筆記体１１４ａ、１１４ｂの後端部に連接した摺動体１１６ａ、１１６ｂに設けたカム係止突起１１７ａ、１１７ｂは、カム部１０７のカム斜面１０６に当接している。
【手続補正３】
【補正対象書類名】明細書
【補正対象項目名】０００７
【補正方法】変更
【補正の内容】
【０００７】
筆記体１１４を後方に付勢するコイルスプリング１１５によりカム係止突起１１７がカム部１０７を後方へ押圧し、鞘軸１０４を後退させようとするが、嵌合突起１０９が嵌合凹部１１８を構成する頭端部１１２の後方壁面１２０に当接することで必要以上の後退は防止され、鞘軸１０４が胴軸１０３より離脱しないようにしてある。また、ストパー用突起１０８が摺動ケース１１３の収容部１１１の後端壁面１２１に当接することで、鞘軸１０４の胴軸１０３に対する前進を防止している。
【手続補正４】
【補正対象書類名】明細書
【補正対象項目名】００１２
【補正方法】変更
【補正の内容】
【００１２】
本発明は、
「軸筒を互いに回転可能に連設した胴軸と鞘軸とで構成し、該鞘軸内に該鞘軸と一体にまたは別部材で形成したカム斜面を有するカム部を配し、軸筒内に、筆記体を収容する１つまたは複数の筆記体収容溝を有した摺動ケースを鞘軸に連動して回転や前後に移動することのない胴軸に連接して配設し、筆記体収容溝に、後端にカム係止突起を設けた摺動体を装着した少なくとも１つはシャープペンシルユニットである筆記体を、ばねとともに装着して胴軸の先端開口部と反対側の後方に付勢し、カム係止突起をカム部のカム斜面に当接して収容し、鞘軸を胴軸に対して回転することにより鞘軸に連動してカム部が摺動ケースに対して回転し、カム係止突起がカム斜面に沿って前後動することで、筆記体が軸筒内を前後動して筆記先端部を胴軸の先端開口部より出没してなる回転繰出式筆記具において、カム部またはカム部と連動して回転可能な部材の内壁面に、内側に向かって突出したストッパー用突起と、該ストパー用突起の周方向の断面形状と相違した断面形状でストッパー用突起より多くの突出量で内方へ突出した嵌合部分を有する嵌合突起とを、軸心方向における位置がほぼ同等の周上に設け、摺動ケースを、筆記体収容溝を有する収容部と、該収容部の外径より小径で少なくともストッパー用突起に当接しない外径寸法とした頭端部とで構成し、該頭端部に、嵌合突起の嵌合部分が嵌合して回転可能に周状に形成し軸心方向の長さが嵌合部分の軸心方向の長さとほぼ同等な嵌合凹部を形成し、該嵌合凹部の前方に、嵌合突起の嵌合部分が嵌合して前後動可能な、一方が収容部に延びて筆記体収容溝に連通し他方が嵌合凹部に開口した嵌合突起溝と、ストッパー用突起が嵌合して前後動可能な、一方が収容部に延び他方が嵌合凹部に開口したストッパー用突起溝を、嵌合突起の嵌合部分を嵌合凹部に嵌合して、鞘軸を胴軸に対して回転してシャープペンシルユニットの筆記先端を軸筒の先端開口部より突出した際に、嵌合突起の嵌合部分が嵌合突起溝に、ストッパー用突起がストッパー用突起溝に対向するように設け、嵌合突起の嵌合部分が嵌合突起溝にストッパー用突起がストッパー用突起溝に対向した時に、シャープペンシルユニットの筆記先端から鉛芯を繰出すための鞘軸の胴軸側への押圧を可能としたことを特徴とする回転繰出式筆記具。」
である。
【手続補正５】
【補正対象書類名】明細書
【補正対象項目名】００１４
【補正方法】変更
【補正の内容】
【００１４】
嵌合突起は、筆記体を後方に付勢するばねによりカム係止突起を介してカム部は常時後方に押圧されているので、カム部に連接または連設した鞘軸が後方に移動し胴軸や摺動ケースから飛び出さないように、嵌合突起を摺動ケースに設けた嵌合凹部に嵌合させて、カム部を配した鞘軸の後方への移動を阻止するために設けるものである。
【手続補正６】
【補正対象書類名】明細書
【補正対象項目名】００１５
【補正方法】変更
【補正の内容】
【００１５】
ストッパー用突起は、嵌合突起を嵌合凹部に係止して鞘軸を胴軸に対して回転してシャープペンシルユニットの筆記先端を軸筒の先端開口部より突出した際に、ストッパー用突起溝に対向し、カム筒や鞘軸は前進可能となるが、シャープペンシルユニットの筆記先端から鉛芯を繰出すために必要な移動距離以上に鞘軸が胴軸側へ前進しないように、前記ストッパー用突起の先端をストッパー用突起溝を形成する前方の収容部の壁面に当接させて移動を阻止するために設けるものである。
【手続補正７】
【補正対象書類名】明細書
【補正対象項目名】００２５
【補正方法】変更
【補正の内容】
【００２５】
図１に示すように、鞘軸４の内壁面には、前記した従来の複合筆記具１０１と同様に、カム部６を鞘軸４の内壁面に一体に形成して設けてある。カム部６の後方の鞘軸４の内壁面には、周方向の対向した２カ所に内側に向かって突出した嵌合突起７と、該嵌合突起７より周方向において９０度隔てた位置の対向した２カ所に内側に向かって突出したストッパー用突起８を設けてある（図２の（ｃ）を参照）。嵌合突起７は、内側に向かって突出し長手方向に延びた直方体状の台部７ａの前方端部に、さらに内側に向かって突出した係止部７ｂとで構成した形状としてある（図５を参照）。係止部７ｂの周方の断面形状は、上面がＲ状に凹んだ長方形状に形成してある。ストッパー用突起８の周方向の断面形状は、嵌合突起７の周方向の幅より小幅な台形状に形成してある。嵌合突起７の係止部７ｂの内側への突出量は、ストッパー用突起８の内側への突出量より多く突出させて設けてあり、嵌合突起７とストッパー用突起８は、軸心方向における位置がほぼ同等の周上に設けてある。
【手続補正８】
【補正対象書類名】明細書
【補正対象項目名】００３７
【補正方法】変更
【補正の内容】
【００３７】
鞘軸３４の内壁面には、図１０に示すように、先端にカム斜面３８（図１６を参照）を有したカム筒３９を固着してカム部４０を設けてある。カム筒３９の後方（図におい右側方向）の内壁面には、周方向の対向した２カ所に内側に向かって突出した嵌合突起４１と、該嵌合突起４１より周方向において９０度隔てた位置の対向した２カ所に内側に向かって突出したストッパー用突起４２を設けてある（図１３の（ｄ）を参照）。第１の実施例の複合筆記具と同様に、嵌合突起４１は、内側に向かって突出し長手方向に延びた台部４１ａの前方端部に、さらに内側に向かって突出した係止部４１ｂとで構成した形状としてある（図１６を参照）。係止部４１ｂの周方向の断面形状は、上面がＲ状に凹んだ台形状に形成してある。ストッパー用突起４２の周方向の断面形状は、嵌合突起の周方向の幅より小幅なＲ状に突出した形状に形成してある。嵌合突起４１の係止部４１ｂの内側への突出量は、ストッパー用突起４２の内側への突出量より多く突出させて設けてあり、嵌合突起４１とストッパー用突起４２は、軸心方向における位置がほぼ同等の周上に設けてある。
【手続補正９】
【補正対象書類名】明細書
【補正対象項目名】００４７
【補正方法】変更
【補正の内容】
【００４７】
図２１〜図２８は、本発明の第３の実施例で、第２の実施例の複合筆記具３１において、軸筒内にシャープペンシルユニットの筆記体１本とボールペンレフィルの筆記体２本を収容した複合筆記具７１の実施例である。ただ、便宜上、軸筒内にシャープペンシルユニットの筆記体とボールペンレフィルの筆記体を収容した状態を現わした図においては、シャープペンシルユニットの筆記体とボールペンレフィルの筆記体1本のみを現わし、もう1本のボールペンレフィルの筆記体は省略してある。第３の実施例の複合筆記具７１は、摺動ケース７２とカム筒７３以外の部材が第２の実施例の複合筆記具３１と同様に形成または構成されているので、摺動ケース３５とカム筒３９の形状の異なる点について説明する。なお同一部材、同じ箇所を示す場合は、同じ符号を付す。
【手続補正１０】
【補正対象書類名】明細書
【補正対象項目名】００４８
【補正方法】変更
【補正の内容】
【００４８】
鞘軸３４の内壁面に固着した、先端にカム斜面８４（図２７を参照）を有したカム筒７３は、後方（図におい右側方向）の内壁面に、周方向に等間隔に３つの内側に向かって突出した嵌合突起７４と、その各々の嵌合突起７４の周方向の間の３カ所の位置に内側に向かって突出したストッパー用突起７５を設けてある（図２２の（ｂ）を参照）。嵌合突起７４は、第２の実施例の複合筆記具３１と同様に、内側に向かって突出し長手方向に延びた台部７４ａの前方端部に、さらに内側に向かって突出した係止部７４ｂとで構成した形状としてある（図２１を参照）。係止部７４ｂの周方向の断面形状は、上面がＲ状に凹んだ台形状に形成してある。ストッパー用突起７５は、内側に向かって突出し長手方向に延びた台状に形成してある。ストッパー用突起７５の周方向の断面形状は、嵌合突起７４の周方向の幅と略同幅なＲ状に突出した形状に形成してある。嵌合突起７４の係止部７４ｂの内側への突出量は、ストッパー用突起７５の内側への突出量より多く突出させて設けてあり、嵌合突起７４とストッパー用突起７５は、軸心方向における位置がほぼ同等の周上に設けてある。
【手続補正１１】
【補正対象書類名】図面
【補正対象項目名】図３０
【補正方法】変更
【補正の内容】
【図３０】
2009208452.tif 000001